(57)【要約】【課題】  電源回路部の構成に工夫を講じることによって、電源回路部を収容している筐体が電気部品などに接触してショートするという事態を防止する。【解決手段】  電源回路部３の電気部品３３の頂部を上方で覆う平坦な上板部５１と、電気的接続箇所としての半田付け箇所を下方で覆う平坦な下板部５２と、電源回路部３の背部を覆う後板部５４と、電源回路部３の側部を覆う側板部５６と、を備える保護カバー５を、電源回路部３に追加する。保護カバー５を樹脂製の一体成形体とする。筐体１の天板部１５をできるだけ電気部品３３の頂部に近付けてその筐体１を薄形化する。【選択図】        図２
0003128387.tif 000002
【実用新案登録請求の範囲】
【請求項１】
電気部品を表面に搭載した配線基板を備える電源回路部の上記電気部品と上記配線基板との電気的接続箇所がその配線基板の裏面に配備されている電気機器の電源回路部構造であって、
上記電気部品の頂部を上方で覆う平坦な上板部と、上記電気的接続箇所としての半田付け箇所を下方で覆う平坦な下板部と、それらの上板部と下板部とに亘る立上り板部と、を備える樹脂製の一体成形体でなる保護カバーを追加し、その保護カバーを備える上記電源回路部が、板金でなる天板と底板と背板と側板とで囲まれて形作られた筐体の内隅部に配備されていると共に、上記保護カバーの立上り板部が、筐体の背板と上記電源回路部との間に位置する後板部と、その後板部にコーナ部を介して連続して筐体の側板と上記電源回路部との間に位置する側板部とからなり、
上記保護カバーの後板部に、その後板部の複数箇所に形成したリブの高さ方向中間部を欠除させることより形成されて上記配線基板の端縁が差し込まれてその端縁を当該配線基板の厚さ方向で位置決めする溝部が備わり、
上記保護カバーの上記コーナ部が上記筐体の内隅部の入隅形コーナ部分に配備され、かつ、その保護カバーの下板部に、その下板部の裏面に非直線状の形態で形成されたリブでなる座部が備わっていて、その座部が上記筐体の底板の内面に重なり合っていることを特徴とする電気機器の電源回路部構造。
【請求項２】
電気部品を表面に搭載した配線基板を備える電源回路部の上記電気部品と上記配線基板との電気的接続箇所がその配線基板の裏面に配備されている電気機器の電源回路部構造であって、
上記電気部品の頂部を上方で覆う上板部と、上記電気的接続箇所を下方で覆う下板部と、それらの上板部と下板部とに亘る立上り板部と、を備える樹脂製の一体成形体でなる保護カバーを追加したことを特徴とする電気機器の電源回路部構造。
【請求項３】
上記保護カバーを備える電源回路部が筐体の内隅部に配備されていて、その内隅部が板金でなる天板と底板と背板と側板とで囲まれて形作られていると共に、上記保護カバーの立上り板部が、筐体の背板と上記電源回路部との間に位置する後板部と、その後板部にコーナ部を介して連続して筐体の側板と上記電源回路部との間に位置する側板部とを含んでいる請求項２に記載した電気機器の電源回路部構造。
【請求項４】
上記保護カバーの立上り板部に、上記配線基板の端縁が差し込まれてその端縁を当該配線基板の厚さ方向で位置決めする溝部が備わっている請求項２又は請求項３に記載した電気機器の電源回路部構造。
【請求項５】
上記保護カバーの上記コーナ部が上記筐体の内隅部の入隅形コーナ部分に配備されていると共に、その保護カバーの下板部に、上記筐体の底板の内面に重なり合う座部が備わっている請求項３又は請求項４に記載した電気機器の電源回路部構造。
【請求項６】
上記座部が、上記下板部の裏面に非直線状の形態で形成されているリブでなる請求項５に記載した電気機器の電源回路部構造。
【考案の詳細な説明】
【技術分野】
【０００１】
本考案は、電気機器の電源回路部構造、特に、高圧を伴う電源回路部が板金製の筐体に収容されている電気機器に関し、筐体から電源回路部の背高部品や半田付け箇所などに至る直線距離（間隔）や沿面距離を延長することによって安全性や電気的特性を向上させるという対策を講じた電気機器の電源回路部構造に関する。
【背景技術】
【０００２】
近時、ＤＶＤドライブなどの電気機器では、その筐体の薄形化ないし偏平化が顕著に促進されているという背景があり、筐体を板金製とした場合には、筐体の天板や底板、側板などとその筐体に収容されている電源回路部との間隔を十分に広く確保したり、筐体の天板や底板、側板などから電源回路部に至る沿面距離を十分に長くしたりして、使用時の安全性や電気的特性を確保することが要請されている。
【０００３】
この要請に応えるために、従来は、電源回路部のコンデンサーなどの背高部品の高さ寸法をできるだけ低く抑えて電源回路部と筐体の天板などとの間隔を広くしたり、確保して安全性や電気的特性を高めたり、筐体の天板の裏面などに電気絶縁製シートを貼り付けたりすることによって、使用時の安全性や電気的特性を確保するという対策が講じられていた。
【０００４】
一方、光ディスクドライブ装置などの外部記憶装置の筐体に関して、その前面パネルや背面パネルに金属板を採用することが公知である（たとえば、特許文献１参照）。また、オーディオキャビネットの組立工程を改善するための提案（たとえば、特許文献２参照）のほか、磁気ディスク記憶装置の筐体に対する磁気ディスク機構部の組付け構成に関する研究も行われている（たとえば、特許文献３参照）。
【特許文献１】特開平７−２０１１６３号公報
【特許文献２】特開昭５８−１７３８９２号公報
【特許文献３】特開昭６３−６９０８６号公報
【考案の開示】
【考案が解決しようとする課題】
【０００５】
しかしながら、筐体の天板や底板、側板などを板金製とした電気機器において、使用時の安全性や電気的特性や確保しつつその筐体の薄形化ないし偏平化を図るための対策として、上記した高さ寸法の低いコンデンサーなどの背高部品を採用すると、そのような背高部品が高価であるためにコスト高になるという問題がある。また、筐体の天板の裏面などに絶縁性シートを貼り付けるという手段を採用すると、その電気絶縁性シートが剥がれることがあって、電気絶縁性シートが剥がれた場合に必要とされる安全性や電気的特性が保たれなくなるという問題がある。
【０００６】
一方、上掲の各特許文献に記載されている技術によっては、電気機器の使用時の安全性や電気的特性や確保しつつその筐体の薄形化ないし偏平化を図るという課題を、高さ寸法の低い高価な背高部品を用いずに達成することはできない。
【０００７】
本考案は以上の問題や状況に鑑みてなされたものであり、筐体に収容されている電源回路部の構造を改良することによって、高さの低い高価な背高部品を用いなくても薄形化ないし偏平化された筐体の天板部などと電源回路部との間での電気絶縁性を確保することが可能であり、しかも、筐体の天板部などから電源回路部に至る沿面距離を十分に増大させて電気機器に要求される電気的特性を満足することのできる電気機器の電源回路部構造を提供することを目的とする。
【０００８】
また、本考案は、電源回路部を電気絶縁性の保護カバーで覆うことによって上記した電気絶縁性や電気的特性を確保することを基本とした上で、樹脂製の１部品で安価に製作された保護カバーを用い得る電気機器の電源回路部構造を提供することを目的とする。
【課題を解決するための手段】
【０００９】
本考案に係る電気機器の電源回路部構造は、電気部品を表面に搭載した配線基板を備える電源回路部の上記電気部品と上記配線基板との電気的接続箇所がその配線基板の裏面に配備されている。そして、上記電源回路部に、上記電気部品の頂部を上方で覆う上板部と、上記電気的接続箇所を下方で覆う下板部と、それらの上板部と下板部とに亘る立上り板部と、を備える樹脂製の一体成形体でなる保護カバーを追加したものである。
【００１０】
この構成を採用すると、筐体が薄形化ないし偏平化されているとしても、筐体に電源回路部を収容したときには保護カバーの上板部が筐体と電気部品の頂部との間に介在され、かつ、保護カバーの下板部が筐体と電気的接続箇所との間に介在される。その結果、仮に筐体が撓んだとしても、その筐体と電気部品や電気的接続箇所とが直接に接触するという事態が保護カバーの上板部や下板部によって阻止され、筐体と電気部品や電気的接続箇所とが電気的に短絡（ショート）するという事態が未然に防止されて使用時などの安全性が高まる。また、保護カバーの上板部や下板部が筐体と電気部品や電気的接続箇所との沿面距離を増大させることに役立つために電気的特性が向上する。これに加え、保護カバーは、その上板部と下板部とそれらに亘る立上り板部とを備えるために１部品で構成することが可能であるので、その保護カバーを樹脂製の安価な一体成形体で構成することかできる。
【００１１】
本考案では、上記保護カバーを備える電源回路部が筐体の内隅部に配備されていて、その内隅部が板金でなる天板と底板と背板と側板とで囲まれて形作られていると共に、上記保護カバーの立上り板部が、筐体の背板と上記電源回路部との間に位置する後板部と、その後板部にコーナ部を介して連続して筐体の側板と上記電源回路部との間に位置する側板部とを含んでいることが望ましい。これによれば、保護カバーの上板部が筐体と電気部品の頂部との間に介在され、かつ、保護カバーの下板部が筐体と電気的接続箇所との間に介在されるだけでなく、保護カバーの立上り板部のうちの後板部が筐体の背板と電気回路部との間に介在され、その立上り板部のうちの側板部が筐体の側板と上記電源回路部との間に介在されるので、筐体と電気部品や電気的接続箇所とが直接に接触するという事態がいっそう確実に阻止されるようになって、筐体と電気部品や電気的接続箇所とが電気的に短絡（ショート）するという事態が確実に防止されて使用時などの安全性が高まる。また、保護カバーの上板部や下板部だけでなく、後板部や側板部も筐体と電気部品や電気的接続箇所との沿面距離を増大させることに役立つ。
【００１２】
本考案では、上記保護カバーの立上り板部に、上記配線基板の端縁が差し込まれてその端縁を当該配線基板の厚さ方向で位置決めする溝部が備わっていることが望ましい。これによれば、保護カバーと配線基板とが配線基板の厚さ方向で位置決めされるために、振動や落下衝撃などが加わっても電気部品と保護カバーとが干渉するという事態が起こらない。
【００１３】
本考案では、上記保護カバーの上記コーナ部が上記筐体の内隅部の入隅形コーナ部分に配備されていると共に、その保護カバーの下板部に、上記筐体の底板の内面に重なり合う座部が備わっていることが望ましい。これによれば、また、保護カバーの立上り板部にコーナ部が備わっていることによりその保護カバーの強度が高まり、しかも、そのコーナ部が筐体の内隅部の入隅形コーナ部分に配備されて、保護カバーの下板部の座部が筐体の底板の内面に重なり合うことにより、保護カバーが筐体の強度を高めることに役立つ。
【００１４】
本考案では、上記座部が、上記下板部の裏面に非直線状の形態で形成されているリブでなる、という構成を採用することが望ましい。これによれば、座部を形成しているリブが保護カバーの下板部を補強することに役立つ。
【００１５】
本考案に係る電気機器の電源回路部構造は、電気部品を表面に搭載した配線基板を備える電源回路部の上記電気部品と上記配線基板との電気的接続箇所がその配線基板の裏面に配備されている電気機器の電源回路部構造であって、上記電気部品の頂部を上方で覆う平坦な上板部と、上記電気的接続箇所としての半田付け箇所を下方で覆う平坦な下板部と、それらの上板部と下板部とに亘る立上り板部と、を備える樹脂製の一体成形体でなる保護カバーを追加し、その保護カバーを備える上記電源回路部が、板金でなる天板と底板と背板と側板とで囲まれて形作られた筐体の内隅部に配備されていると共に、上記保護カバーの立上り板部が、筐体の背板と上記電源回路部との間に位置する後板部と、その後板部にコーナ部を介して連続して筐体の側板と上記電源回路部との間に位置する側板部とからなり、上記保護カバーの後板部に、その後板部の複数箇所に形成したリブの高さ方向中間部を欠除させることより形成されて上記配線基板の端縁が差し込まれてその端縁を当該配線基板の厚さ方向で位置決めする溝部が備わり、上記保護カバーの上記コーナ部が上記筐体の内隅部の入隅形コーナ部分に配備され、かつ、その保護カバーの下板部に、その下板部の裏面に非直線状の形態で形成されたリブでなる座部が備わっていて、その座部が上記筐体の底板の内面に重なり合っている、という構成を採用することによっていっそう具体化される。この考案の作用については後述する実施形態を参照して詳細に説明する。
【考案の効果】
【００１６】
以上のように、本考案に係る電気機器の電源回路部構造によれば、保護カバーの作用によって筐体が電源回路部の電気部品や電気的接続箇所に接触してショートするという事態が確実に防止されるため、ユーザが筐体に触れて感電するというような事故が防止されるようになる。そのため、コンデンサーなどの背高部品に高さ寸法の低い効果な部品を採用することなく、筐体の天板を可及的電気部品に近付けてその筐体の薄形化ないし偏平化を図ることが容易になる。また、保護カバーは筐体から電源回路部に至る沿面距離を増大させる作用をも発揮するので、電源回路部から外部に出る電気的ノイズが減少して電気機器の電気的特性が向上する。さらに、保護カバーが安価な樹脂製の一体成形体でなることにより、その保護カバーが筐体を補強する作用を発揮して落下時の耐衝撃性を高めることにも役立つようになるという利点がある。
【考案を実施するための最良の形態】
【００１７】
図１は本考案に係る電源回路部構造を採用したＤＶＤドライブとしての電気機器を背面側から見て示した外観斜視図である。図示のようにこの電気機器は偏平な薄型の筐体１に、図示していないＤＶＤドライブ本体やその他の必要な要素が収容されていて、その要素のうちの１つに次に説明する電源回路部が含まれている。また、筐体１は、偏平箱形に組み合わされた板金製のボトムカバー１２と同じく板金製のトップカバー１３と備えていると共に、それらのボトムカバー１２及びトップカバー１３の前端に樹脂成形体でなるフロントパネル１４が配備されている。そして、筐体１の天板１５がトップカバー１３の天板部によって形成され、筐体１の左右両側の側板１６がトップカバー１５とボトムカバー１４とにそれぞれ備わっている側板部の合わせ構造によって形成され、筐体１の背板１７がボトムカバー１４の背板部によって形成され、筐体１の底板（不図示）がボトムカバー１４の底板部によって形成されている。なお、２１はファン、２２は端子群を示している。
【００１８】
図２は電源回路部３などを示した概略斜視図である。同図の電源回路部３は、電源基板としての配線基板３１に電気部品としてのラインフィルター３２，コンデンサー３３，トランス３４などのほか、放熱板３５などを搭載してなり、ラインフィルター３２やコンデンサー３３が一次側電源回路に含まれ、トランス３４が二次側電源回路に含まれる。図例の電源回路部３を形成している電気部品のうち、最も背高の部品にはコンデンサー３３が相当している。この電源回路部３は、数点の取付ビス４１を用いて筐体１の底板１８に固定されていると共に、筐体１の天板１５（図１参照）と底板１８と片側の側板１６（図１参照）と背板１７とにより囲まれて形作られた内隅部に配備されていて、その電源回路部３に接続されている電源コード（不図示）が上記背板１７に形成された引出口１９から外部へ引き出されている。
【００１９】
この電源回路部３には樹脂の一体成形体でなる保護カバー５が追加されている。図３には保護カバー５が正面図で示されている。また、図４にこの保護カバー５を斜視図で示してある。同図のように、保護カバー５は、平坦で略矩形の上板部５１と、この上板部５１に比較して細長く形成された平坦で略矩形の下板部５２と、これらの下板部５２と上板部５１とに亘る立上り板部５３とを備えていて、立上り板部５３には、下板部５２の後端縁から垂直に立ち上がって上端縁の一部が上板部５１に連設された細長い後板部５４と、この後板部５４にコーナ部５５を介し連続して下板部５２の片側端縁から垂直に立ち上がって上端縁が上板部５１の片側端縁に連設された側板部５６とが含まれている。また、上記コーナ部５５の外側に形成されている入隅部５７が形成されているのに対して、後板部５４の外側には高さ方向に延びる凹溝部５８が形成されていて、これらの入隅部５７や凹溝部５８に、後方に向けて開放された取付ビス挿通孔６１，６２を備えるビス止め片６３，６４が一体に成形されている。なお、上記した入隅部５７や凹溝部５８は、ビス止め片６３，６４を後板部５４から突き出さない形態で保護カバー５に具備させることに役立っているほか、保護カバー５の剛性を高めてその強度を向上させることにも役立っている。さらに、図３に示したように、上記後板部５４の内面の所定間隔を隔てた複数箇所に縦リブ６５が形成されていて、この縦リブ６５の高さ方向中間部を欠除させることによって形成した溝部６６に、上記配線基板３１の端縁を差し込むことができるようになっていると共に、上記下板部５２の裏面にリブでなる座部６７が一体に成形されていて、この座部６７によって下板部５２が補強されている。この実施形態において、座部６７を形成しているリブは、コ字形部分やそのコ字形部分の両側に延び出たＬ字形部分などを有して下板部５２のほぼ前面に亘って形成された非直線状の形態で形成されている。
【００２０】
上記した保護カバー５は、図２のように、配線基板３１とその配線基板３１を搭載しているコンデンサー３３などの一次側電気部品を覆って配備される。言い換えると、配線基板３１を筐体１の底板１８にビス止めするのに先立って、その配線基板３１を保護カバー５の上板部５１と下板部５２との対向空間に嵌め込むことによって、コンデンサー３３などの一次側電気部品やそれらの電気部品と配線基板３１との電気的接続箇所３６（半田付け箇所：後述する）などを上記対向空間に配備し、その後、配線基板３１を図２のように取付ビス４１で筐体１の底板１８にビス止めすると共に、図４に示した保護カバー５のビス止め片６３，６４を取付ビス（不図示）を用いて筐体１に固定するという取付工程が行われる。
【００２１】
このようにして配線基板３１や保護カバー５を筐体１に固定する場合に、図３又は図５のように、配線基板３１の後端縁が保護カバー５側の上記縦リブ６５の溝部６６に差し込まれている。そのため、保護カバー５と配線基板３１とが配線基板３１の厚さ方向で位置決めされて、振動や落下衝撃などが加わってもコンデンサー３３などの電気部品と保護カバー５とが干渉するという事態が起こらないようになっている。
【００２２】
図２のように、筐体１内では、保護カバー５のコーナ部５５（図４参照）が筐体１の内隅部の入隅形コーナ部分１０に配備される。また、保護カバー５の下板部５２に備わっている座部６７が、図３のように筐体１の底板１８の内面に重ね合わされている。
【００２３】
以上説明したように、筐体１に電源回路部３が嵌め込まれた保護カバー５が配備されていると、筐体１の天板１５の位置を電源回路部３のコンデンサー３３などの電気部品に可及的近接させることによってその筐体１の薄形化ないし偏平化を図ってあるとしても、図３のように保護カバー５の上板部５１が筐体１の天板１５と電気部品のうちの最も背高の部品であるコンデンサー３３の頂部との間に介在され、保護カバー５の下板部５２が筐体１の底板１８と電気的接続箇所（半田付け箇所）３６との間に介在される。そのため、筐体１が外力を受けて撓んだとしても、その天板１５や底板１８がコンデンサー３３や電気的接続箇所３６に直接に接触するという事態が保護カバー５の上板部５１や下板部５２によって阻止されるようになり、筐体１とコンデンサー３３などの電気部品や電気的接続箇所３６とがショートしてユーザが感電するという事態が起こらず、当該電気機器の安全性が高まる。保護カバー５の上板部５１や下板部５２などについて上記したショート阻止作用は、その保護カバー５の側板部５６や後板部５４などによっても発揮される。すなわち、側板部５６は、筐体１の側板１６が電気部品に接触することを防ぐことに役立ち、後板部５４は、筐体１の背板１７が電気部品に接触することを防ぐことに役立つ。
【００２４】
また、保護カバー５が筐体１と電源回路部３との間に介在されている構成になっているため、その保護カバー５が筐体１と電源回路部３との沿面距離を増大させて当該電気機器の電気的特性を高めることにも役立っている。すなわち、保護カバー５の上板部５１や下板部５２が筐体１の天板１５や底板１８とコンデンサー３３などの電気部品や電気的接続箇所３６との沿面距離を増大させることに役立ち、保護カバー５の側板部５６や後板部５４が、筐体１の側板１６や背板１７とコンデンサー３３などの電気部品や電気的接続箇所３６との沿面距離を増大させることに役立つ。
【００２５】
これに加え、保護カバーは、その上板部と下板部とそれらに亘る立上り板部とを備えるために１部品で構成することが可能であるので、その保護カバーを樹脂製の安価な一体成形体で構成することかできる。
【００２６】
また、上記実施形態では、筐体１の内隅部に配備されている保護カバー５のコーナ部５５が図２のように筐体１の内隅部の入隅形コーナ部分に配備されていることに加えて、保護カバー５側の座部６７が筐体１の底板１８の内面に重なり合っているという構成を採用している。そのため、保護カバー５のコーナ部５５が筐体１の内隅部の強度を高めることに役立つ。したがって、落下衝撃などによって変形しやすい箇所である筐体１の内隅部の変形が保護カバー５によって抑制されるという利点がある。
【００２７】
一方、保護カバー５は、図４を参照して説明したように上板部５１と下板部５２とそれらの間に亘る立上り板部５３を備える形状を有していて、そのビス止め片６３，６４の取付ビス挿通孔６１，６２を後方に向けて開放させてある。そのため、この保護カバー５は、同図に矢印Ａ，Ｂで示した相反する２方向で離型される成形用の割り型を用いて１工程で製作される単一部品でなる。したがって、保護カバー５を安価に製作することができるたけでなく、この保護カバー５を電源回路部３と共に筐体１に組み付けるときにもその組付け工程が煩雑になって組立コストが高くなるということにはならない。このことから、保護カバー５を追加したことよって電気機器の量産性が損なわれるということにはならない。
【図面の簡単な説明】
【００２８】
【図１】本考案に係る電源回路部構造を採用した電気機器を背面側から見て示した外観斜視図である。
【図２】電源回路部などを示した概略斜視図である。
【図３】保護カバーや筐体などを示した縦断正面図である。
【図４】保護カバーの斜視図である。
【図５】縦リブと溝部を示した縦断側面図である。
【符号の説明】
【００２９】
１  筐体
３  電源回路部
５  保護カバー
１５  天板
１６  側板
１７  背板
１８  底板
３１  配線基板
３３  コンデンサー（電気部品）
３６  電気的接続箇所（半田付け箇所）
５１  上板部
５２  下板部
５３  立上り板部
５４  後板部
５５  コーナ部
５６  側板部
６５  縦リブ（リブ）
６６  溝部
１０  筐体の内隅部の入隅形コーナ部分
６７  座部
【図１】
0003128387.tif 000003
【図２】
0003128387.tif 000004
【図３】
0003128387.tif 000005
【図４】
0003128387.tif 000006
【図５】
0003128387.tif 000007